(57)【特許請求の範囲】
【請求項１】
内部に給油ノズルに油液を送液する送液機器が収納される下方の送液領域と、表示器及び制御回路等が収納される上方の制御領域とを有する筐体と、
前記筐体内を前記送液領域と前記制御領域とに仕切る隔壁と、
該隔壁に設けられた開口と、
前記制御回路と前記送液機器とを接続する複数のケーブルと、
前記開口を閉塞するように前記隔壁の上面に取り付けられ、前記隔壁の下面側からボルトにより固定される閉塞板と、
前記複数のケーブルが挿通されるように前記閉塞板を貫通し、前記ケーブルの本数より多く設けられた複数の連通孔と、
前記複数の連通孔のうち前記ケーブルが挿通されない連通孔を閉塞する栓と、
前記複数の連通孔のうち前記ケーブルが挿通された前記連通孔に挿入され、前記ケーブルの外周と前記連通孔の内壁との隙間をシールするシール部材と、
前記ケーブルが挿通された前記連通孔に挿入されると共に、前記シール部材を圧縮して前記ケーブルの外周に前記シール部材を密着させると共に、当該ケーブルを保持するように前記閉塞板に固定されるケーブル保持部材と、
を備えてなることを特徴とする給油装置。
【発明の詳細な説明】
【０００１】
【発明の属する技術分野】
本発明は給油装置に係り、特に油液を送液する送液機器が収納される送液領域と、表示器及び制御回路が収納される電気系統領域とを有する給油装置に関する。
【０００２】
【従来の技術】
給油所等の給油施設に設置される給油装置は、筐体の内部に油液を送液する給油ポンプ、ポンプモータ、流量計などの送液機器が収納される送液領域と、給油量を表示する表示器及び各機器を制御する制御回路が収納される制御領域とを有する。そして、筐体の内部は、油液のベーパが漏れる可能性があるので、防爆領域とされており、電気的な機器を防爆構造とする必要があった。
【０００３】
従来は、油液を送液する送液機器からベーパが発生したときの安全性を考慮して給油装置の内部に収納される各制御回路、表示器等の電気機器を防爆ケースに収納しており、電気系統で生じた電気的スパークがベーパに引火しないようにしていた。
【０００４】
【発明が解決しようとする課題】
ところが、上記のような防爆ケースに各電気機器を収納させる構成とする場合、複数の給油系統の各制御回路、表示器等を個別に防爆ケースに収納させるため、各機器の取付スペースが大きくなるばかりか、組立作業の作業効率を高めることが難しかった。
【０００５】
さらに、従来は、複数のケーブルを１本ずつナットで締め付けて固定すると共に、ケーブルの外周をシールする構成とするため、全てのケーブルが固定されるまで手間がかかると共に、複数のケーブルが絡んでしまいメンテナンス作業がやりにくいという問題があった。
そこで、本発明は上記課題を解決した給油装置を提供することを目的とする。
【０００６】
【課題を解決するための手段】
上記課題を解決するため、本発明は以下のような特徴を有する。
【０００７】
本発明は、内部に給油ノズルに油液を送液する送液機器が収納される下方の送液領域と、表示器及び制御回路等が収納される上方の制御領域とを有する筐体と、
前記筐体内を前記送液領域と前記制御領域とに仕切る隔壁と、
該隔壁に設けられた開口と、
前記制御回路と前記送液機器とを接続する複数のケーブルと、
前記開口を閉塞するように前記隔壁の上面に取り付けられ、前記隔壁の下面側からボルトにより固定される閉塞板と、
前記複数のケーブルが挿通されるように前記閉塞板を貫通し、前記ケーブルの本数より多く設けられた複数の連通孔と、
前記複数の連通孔のうち前記ケーブルが挿通されない連通孔を閉塞する栓と、
前記複数の連通孔のうち前記ケーブルが挿通された前記連通孔に挿入され、前記ケーブルの外周と前記連通孔の内壁との隙間をシールするシール部材と、
前記ケーブルが挿通された前記連通孔に挿入されると共に、前記シール部材を圧縮して前記ケーブルの外周に前記シール部材を密着させると共に、当該ケーブルを保持するように前記閉塞板に固定されるケーブル保持部材と、
を備えてなることを特徴とする。
【発明の実施の形態】
以下、図面と共に本発明の一実施例を説明する。
図１は本発明になる給油装置の一実施例を示す正面断面図である。図２は筐体に設けられた隔壁の平面図である。尚、図１では、前面パネルが外されて筐体内部の機器が露出された状態を示す。
図１に示されるように、給油装置１０は、筐体１２の内部に防爆領域となる送液領域１４と非防爆領域となる制御領域１６とが設けられている。送液領域１４と制御領域１６との間は、隔壁１８により隔成されており、送液領域１４で発生したベーパが制御領域１６へ侵入しないように遮断している。
【０００８】
また、筐体１２の左右両側には、一対の支柱２０，２２が起立しており、支柱２０，２２の上端間にはホース支持部材２４が横架されている。また、ホース支持部材２４に支持された各給油ホース２６は、前面パネル（図示せず）に設けられたノズル掛け２８に掛止された給油ノズル（図示せず）に接続されている。
【０００９】
筐体１２の前面側及び背面側には、例えば、レギュラーガソリン、ハイオクガソリン、軽油といった油種の異なる給油ノズル（図示せず）が配置されており、各給油ノズルには各給油ホース２６及び支柱２０，２２の内部に挿通された給油管路２７ａ〜２７ｆを介して油液が送液される。
【００１０】
送液領域１４は、筐体１２の下部に形成されており、例えば、筐体１２の前面側１２ａ，背面側１２ｂの給油ポイントに対応してレギュラーガソリン、ハイオクガソリン、軽油等の油液を送液するための送液経路３２Ａ〜３２Ｃが設けられている。この送液経路３２Ａ〜３２Ｃには、地下タンク（図示せず）から油液を汲み上げる給油ポンプ３４Ａ〜３４Ｃと、給油ポンプ３４Ａ〜３４Ｃを駆動するポンプモータ３６Ａ〜３６Ｃと、給油ポンプ３４Ａ〜３４Ｃから吐出された油液の給油量を計測する流量計３８Ａ〜３８Ｃとが配設されている。
【００１１】
また、制御領域１６は、密閉された箱状のハウジング４０の内部（非防爆領域）に形成されている。そして、ハウジング４０の内部には、図２に示されるように、筐体１２の前面側，背面側の給油ポイントに対応する制御回路４２ａ，４２ｂ、表示器４４ａ，４４ｂ、プリンタ４６ａ，４６ｂ、カードリーダ４８ａ，４８ｂ、紙幣識別機５０ａ，５０ｂが配置されている。
【００１２】
さらに、隔壁１８の中央には、八角形状のケーブル挿通穴５２が開口している。このケーブル挿通穴５２は、送液領域１４と制御領域１６との間を連通しており、制御領域１６に配置された制御回路４２ａ，４２ｂと、送液領域１４に設けられた給油ポンプ３４Ａ〜３４Ｃ、ポンプモータ３６Ａ〜３６Ｃ、流量計３８Ａ〜３８Ｃとを接続する複数のケーブル５４１〜５４ｎが挿通される。
【００１３】
図３は制御領域１６の平面図である。
図３に示されるように、隔壁１８には、ケーブル挿通穴５２を閉塞するプレート（閉塞板）５６が固定ボルト５７の締結により固定される。このプレート５６には、ケーブル５４１〜５４ｎを挿通させるための複数の挿通孔（図３では隠れて見えない）５６１〜５６ｎが設けられ、この挿通孔５６１〜５６ｎにはケーブル保持部材５８１〜５８ｎが嵌合されている。
【００１４】
また、プレート５６の両側には、ケーブル５４１〜５４ｎ及び制御回路４２ａ，４２ｂからの複数のケーブル６０１〜６０ｎが接続されるコネクタ部材６２，６４が取り付けられている。このコネクタ部材６２，６４は、プレート５６に近接する位置に設けられた送液側端子６２ａ，６４ａと、プレート５６から離間する位置に設けられた制御側端子６２ｂ，６４ｂとを有する。そして、コネクタ部材６２，６４は、複数の端子列が並列に設けられており、送液側端子６２ａ，６４ａと制御側端子６２ｂ，６４ｂとが１：１で対応している。そのため、ケーブル５４１〜５４ｎは、コネクタ部材６２，６４を介してケーブル６０１〜６０ｎと導通される。
【００１５】
また、コネクタ部材６２，６４においては、各ケーブルの接続端子が決められており、例えば、ポンプモータＡ、ポンプモータＢ、ポンプモータＣといったように表示されている。そのため、各ケーブル５４１〜５４ｎ，６０１〜６０ｎの接続を間違えないようになっている。また、メンテナンス作業時に各機器を交換する場合でも、コネクタ部材６２，６４から各ケーブル５４１〜５４ｎまたは６０１〜６０ｎを抜くことにより容易に交換することができ、交換後の配線も容易に行える。
【００１６】
図４は制御領域１６の正面図である。図５は制御領域１６の側断面図である。
図４及び図５に示されるように、制御領域１６を形成する前面パネル６６、背面パネル６８は、制御回路４２ａ，４２ｂ及び表示器４４ａ，４４ｂが取り付けられた制御盤６６ａ，６８ａが回動可能に取り付けられている。この制御盤６６ａ，６８ａは、通常、前面パネル６６、背面パネル６８に当接する垂直状態に掛止されており、メンテナンス時に掛止解除されて前面パネル６６、背面パネル６８から離間した傾斜状態に回動する。これにより、制御盤６６ａ，６８ａの裏側に配設された制御回路４２ａ，４２ｂ及び表示器４４ａ，４４ｂの点検、修理などのメンテナンス作業が容易に行える。
【００１７】
図６はプレート５６及びケーブル保持部材５８を拡大して示す斜視図である。図７はケーブル保持部材５８の取付状態を拡大して示す縦断面図である。
図６に示されるように、平板状に形成されたプレート５６は、ケーブル５４１〜５４ｎを挿通させるための複数の挿通孔５６１〜５６ｎが設けられており、複数の挿通孔５６１〜５６ｎにはケーブル保持部材５８１〜５８ｎが嵌合される。そして、ケーブル５４１〜５４ｎは、ケーブル保持部材５８１〜５８ｎの中央孔５８ａに挿通された状態で保持される。
【００１８】
ケーブル保持部材５８１〜５８ｎは、中央孔５８ａと、挿通孔５６１〜５６ｎに挿通される円筒部５８ｂと、円筒部５８ｂの上端に設けられた四角形状の鍔部５８ｃと、鍔部５８ｃに貫通された一対の固定用孔５８ｄとを有する。
【００１９】
図７に示されるように、プレート５６の挿通孔５６１〜５６ｎは、内部に筒状のパッキン７０が当接する段部５６ｂを有し、ケーブル保持部材５８１〜５８ｎの円筒部５８ｂが挿入されると、パッキン７０が軸方向に圧縮されてケーブル５４１〜５４ｎの外周に密着してシールすると共に、ケーブル５４１〜５４ｎの外周を保持する。
【００２０】
また、ケーブル保持部材５８１〜５８ｎは、鍔部５８ｃの固定用孔５８ｄに挿通されたボルト７２がプレート５６のネジ孔５６ａに螺入されて締め付けられると、円筒部５８ｂが平座金７４を介してパッキン７０を圧縮して送液領域１４と制御領域１６との間を遮断する。これにより、送液領域１４で発生したベーパが制御領域１６へ流入することが防止される。そして、鍔部５８ｃがプレート５６の上面に当接するまで、ボルト７２が締め付けられてケーブル５４１〜５４ｎの固定作業が終了する。
【００２１】
また、プレート５６は、下面側から固定ボルト５７の締結により隔壁１８の上面に固定される。尚、プレート５６と隔壁１８との間には、平板状のパッキン７６が介在しており、固定ボルト５７の締結によりパッキン７６が圧縮されて隙間なく密着する。そのため、プレート５６と隔壁１８との間は、パッキン７６により気密にシールされており、送液領域１４で発生したベーパがプレート５６と隔壁１８との隙間を通過することが防止される。
【００２２】
このように、ケーブル５４１〜５４ｎは、ケーブル保持部材５８１〜５８ｎによりプレート５６に一括して保持されており、隔壁１８に設けられたケーブル挿通穴５２に挿通されるため、ケーブルを１本ずつナットで締め付けて隔壁１８に固定するよりも能率良く取り付けることができると共に、ケーブル保持部材５８１〜５８ｎが小型化されて取付スペースが小さくて済み、狭いスペースでも密集させることが可能になるので、ケーブル数を制限する必要がなくなる。
【００２３】
さらに、多数のケーブル５４１〜５４ｎは、プレート５６により１箇所にまとめられるので、絡み合うことが防止され、メンテナンス作業がやりやすくなっている。また、プレート５６の挿通孔５６１〜５６ｎは、ケーブル５４１〜５４ｎの本数よりも多く設けることにより、他の機器が増設されたときに対応することができる。その場合、使用していない挿通孔５６は、栓を嵌合させて閉塞することにより、送液領域１４と制御領域１６との間を遮断できる。
【発明の効果】
上述の如く、本発明によれば、送液領域と制御領域とを仕切る隔壁に設けられた開口を閉塞する閉塞板を隔壁の上面に取り付けると共に、隔壁の下面側からボルトにより固定される閉塞板を貫通する複数の連通孔に制御回路と送液機器とを接続する複数のケーブルを挿通し、ケーブル保持部材によりシール部材を圧縮してケーブルの外周にシール部材を密着させると共に、ケーブルを保持するため、複数のケーブルを１箇所にまとめることができ、組み付け作業及びメンテナンス作業を能率良く行うことができると共に、ケーブルを１本ずつナットで固定する構造よりも１本のケーブルを取り付けるためのスペースが小さくて済み、ケーブルの本数が増加する場合にも対応できる。
また、連通孔をケーブルの本数よりも多く設けると共に、ケーブルが挿通されない連通孔を栓で閉塞するため、他の機器が増設された場合にも容易に対応することができる。
また、閉塞板を隔壁に取付ける際には、閉塞板を隔壁の上面に載置した安定した状態で隔壁の下面側からボルトを締付けることで、閉塞板の取り付け作業を容易に行える。
【図面の簡単な説明】
【図１】本発明になる給油装置の一実施例を示す正面断面図である。
【図２】筐体に設けられた隔壁の平面図である。
【図３】制御領域１６の平面図である。
【図４】制御領域１６の正面図である。
【図５】制御領域１６の側断面図である。
【図６】プレート５６及びケーブル保持部材５８を拡大して示す斜視図である。
【図７】ケーブル保持部材５８の取付状態を拡大して示す縦断面図である。
【符号の説明】
１０  給油装置
１２  筐体
１４  送液領域
１６  制御領域
１８  隔壁
２０，２２  支柱
２４  ホース支持部材
２６  給油ホース
３２Ａ〜３２Ｃ  送液経路
３４Ａ〜３４Ｃ  給油ポンプ
３６Ａ〜３６Ｃ  ポンプモータ
３８Ａ〜３８Ｃ  流量計
４２ａ，４２ｂ  制御回路
４４ａ，４４ｂ  表示器
４６ａ，４６ｂ  プリンタ
４８ａ，４８ｂ  カードリーダ
５０ａ，５０ｂ  紙幣識別機
５２  ケーブル挿通穴
５６  プレート
５４１〜５４ｎ，６０１〜６０ｎ  ケーブル
５８１〜５８ｎ  ケーブル保持部材
６２，６４  コネクタ部材
６６ａ，６８ａ  制御盤
７０  パッキン
７２  ボルト
【図１】
0004493867.tif 000002
【図２】
0004493867.tif 000003
【図３】
0004493867.tif 000004
【図４】
0004493867.tif 000005
【図５】
0004493867.tif 000006
【図６】
0004493867.tif 000007
【図７】
0004493867.tif 000008